(57)【要約】【課題】照明器具が接続された電力線においては、照明器具の影響により、Ｓ／Ｎの低下や平衡度不安定による電力線伝送品質の低下が発生している。これを抑制するため、電力線コンセント端子へのフィルタが用いられるが、照明器具の場合は、コンセントを持たないためフィルタの装着が難しい。【解決手段】第１の電力線と前記電気製品の間に設けられ、前記電力の周波数は通過させる第１の周波数特性を有し、かつ、前記電力の周波数より高い電力線搬送通信信号の周波数帯域では信号を遮断する第２の周波数特性を有することを特徴とする第１のフィルタと、前記第１のフィルタと前記電気製品との間の接続のＯＮ／ＯＦＦを切り替えるスイッチ、とを備える。【選択図】図１
2010130139.tif 000002
【特許請求の範囲】
【請求項１】
照明器具等の電気製品に電力を供給する、第１の電力線と第２の電力線からなる電力配線において、
第１の電力線と前記電気製品の間に設けられ、前記電力の周波数は通過させる第１の周波数特性を有し、かつ、前記電力の周波数より高い電力線搬送通信信号の周波数帯域では信号を遮断する第２の周波数特性を有することを特徴とする第１のフィルタと、前記第１のフィルタと前記電気製品との間の接続のＯＮ／ＯＦＦを切り替えるスイッチ、とを備えた接続装置。
【請求項２】
前記電力の周波数は遮断する第３の周波数特性を有し、かつ、前記電力線搬送通信信号の周波数帯域では信号を通過させる第４の周波数特性を有することを特徴とした第２のフィルタ、をさらに備え、
前記第１のフィルタ及びスイッチは、前記第２のフィルタと並列に接続されている請求項１記載の接続装置。
【発明の詳細な説明】
【技術分野】
【０００１】
本発明は、電力線を介して通信を行う電力線通信に関する。
【背景技術】
【０００２】
一般的な電力線通信（ＰＬＣ：Ｐｏｗｅｒ  Ｌｉｎｅ  Ｃｏｍｍｕｎｉｃａｔｉｏｎｓ）においては、住宅内に敷設された電力線（以下、宅内電力線という）などが通信の伝送路として利用されデータ通信が行われる。この電力線通信を行うために、電力線通信を行う電力線通信装置（家電製品やパソコンなど）同士が宅内電力線を介して互いに接続される。宅内電力線を介して通信を行う電力線通信装置として、例えば特許文献１、２のような電力線通信装置など、多く知られている。
【特許文献１】特開２００５−０２０１９７号公報
【特許文献２】特開２００６−１１５１６５号公報
【発明の開示】
【発明が解決しようとする課題】
【０００３】
電力線を用いた電力線通信においては、電力線に接続される電気製品からの雑音によるＳ／Ｎの劣化により、通信品質が低下する。また、電力線に接続される家電機器、スイッチ、接地などに起因する不平衡要素やインピーダンス特性の影響によって、電力線伝送路の伝搬特性が変動し、通信品質を劣化させることがある。
【０００４】
このように、電力線に接続された電気製品などによる通信品質低下を防ぐために、要因となる電気製品を、通信に使用する電力線とは異なる系統の電力線に接続しなおしたり、また、電力線搬送通信信号の帯域において雑音を低下させるフィルタを介して電力線に接続したりして、電力線通信路の特性を改善することができる。しかしながら、照明器具などのように、住宅内の移動できない場所に据え付けられる場合などは、これらの方法による特性改善が難しい。
【０００５】
本発明は上記事情を鑑みてなされたものであって、特に、照明器具等の据え置き型の電気製品に起因する影響を低減することが可能な方法を提供することを目的とする。
【課題を解決するための手段】
【０００６】
上記目的を達成するために、本発明の第１の発明においては、
電気製品とＯＮ／ＯＦＦを切り替えるスイッチと直列に接続された第１のフィルタが、商用電力の周波数を通過させる第１の周波数特性を有し、かつ、前記電力の周波数より高い電力線搬送通信信号の周波数帯域では信号を遮断する第２の周波数特性を有することにより、当該接続機器が接続された経路では電力線搬送通信信号の周波数帯域について常に遮断された状態と等しくなる。
【０００７】
これにより、当該電力線と並列に配線される電力線においては、電力線通信の周波数帯域における電気製品からの有害な雑音は常に遮断され、通信品質が改善できる。
【０００８】
本発明の第２の発明においては、
第１のフィルタ及びスイッチと並列に設置された第２のフィルタが、商用電力の周波数では信号を遮断する第３の周波数特性であり、電力線搬送通信信号の周波数帯域では信号を通過させる第４の周波数特性を有することにより、当該接続機器はスイッチのＯＮ／ＯＦＦに関係なく伝送信号の周波数帯域について常に接続された状態と等しくなる。これにより、スイッチがＯＦＦの状態で生じる第１の電力線と第２の電力線の間の不平衡を抑えることができ、当該経路以外の経路上に設置された通信装置の通信に与える影響が小さくなるとともに、不平衡による不要輻射増加を抑えることができる。
【発明の効果】
【０００９】
本発明によれば、照明器具などの電気製品に起因する雑音や平衡度の劣化を抑制でき、照明器具は接続される電気系統と並列に配置される電力線通信路の特性が安定し、通信性能が大幅に向上する。
【発明を実施するための最良の形態】
【００１０】
以下、図面を用いて本発明の実施形態における電力線通信装置用接続装置について説明する。
【００１１】
（第１の実施形態）
図１は、本発明の第１の実施形態に係る電力線通信用接続装置１００の構成の一例を示すブロック図である。図１において、電力線通信用接続装置１００は、スイッチ１１０、フィルタ１２０を有して構成される。
【００１２】
電力線通信用接続装置１００は、照明器具１０と電力線２０の間に接続される。
【００１３】
ここで図１に示される第１の電力線２１と第２の電力線２２は、２線から成る電力線２０の分岐配線であり、その２線に各々符号を付したものである。図１では、電力線通信用接続装置１００は第１の電力線２１によって照明器具１０と電力線２０の間に接続されているが、第２の電力線によって接続しても同様である。
【００１４】
電力線２０は、電力線通信信号を送信または受信する第１の電力線通信装置３０と電力線通信信号を受信または送信する第２の電力線通信装置３１がそれぞれ接続されており、電力線通信装置間で通信を行うための伝送路の役割を持っている。
【００１５】
電力線通信装置１００は、スイッチ１１０とフィルタ１２０が直列に接続された構成であり、フィルタ１２０は、商用電力の周波数を通過させる第１の周波数特性と、商用電力の周波数より高い電力線搬送通信信号の周波数帯域の信号を遮断する第２の周波数特性を有するローパスフィルタである。この構成により、スイッチ１１０がＯＮ状態のときは、照明器具１０に電力が供給されるが、電力線通信信号は遮断され、ＯＦＦ状態のときは、物理的に線路が遮断され、電力の供給も遮断される。
【００１６】
電力線通信装置３０と３１が通信を行うとき、伝送路となる電力線２０への雑音混入は通信品質の劣化につながるが、以上の構成によって、スイッチ１１０がＯＦＦの状態のときはもちろん、ＯＮ状態となって照明器具から雑音が発生した場合であっても、フィルタ１２０が電力線通信信号の周波数の雑音を遮断するため、雑音は電力線２０に混入することがない。
【００１７】
これにより、当該電力線と並列に配線される電力線においては、電力線通信の周波数帯域における電気製品からの有害な雑音は常に遮断され、通信品質が改善できる。
【００１８】
（第２の実施形態）
図２は、本発明の第２の実施形態に係る電力線通信用接続装置２００の構成の一例を示すブロック図である。図２において、電力線通信用接続装置２００は、スイッチ１１０、第１のフィルタ１２０、第２のフィルタ２２０を有して構成される。電力線通信用接続装置２００において、第１の実施形態に係る電力線通信用接続装置１００と同一の機能を有する構成要素については、同一の符号を付し、説明を省略または簡略化する。
【００１９】
電力線通信用接続装置２００では、第１の実施形態で示した電力線通信用接続装置１００の構成に加えて、直列に接続されたスイッチ１１０と第１のフィルタ１２０と並列に第２のフィルタ２２０が接続される。
【００２０】
第２のフィルタ２２０は、商用電力の周波数を遮断する第３の周波数特性をもち、かつ、電力線通信信号の周波数帯域を通過させる第４の周波数特性をももつ、ハイパスフィルタであり、第１の実施形態で示した電力線通信用接続装置１００と組み合わせることによって、スイッチ１１０のＯＮまたはＯＦＦの状態によらず、電力線２０にて伝送される電力線通信信号を照明器具１０にも伝送することができる。
【００２１】
第２のフィルタ２２０が有する第３の周波数特性は、商用電力の周波数を遮断することは当然であるが、照明器具１０が、電力線通信にとって有害な雑音を発する周波数帯域をも遮断する特性を持つ。たとえば、照明器具１０がインバータ方式の照明器具の場合、特に５ＭＨｚ以下に強い雑音を発しており、これは電力線通信にとって有害である。この帯域を遮断し、５ＭＨｚ以上のみを通過させると、電力線通信への影響を大幅に低減することができる。
【産業上の利用可能性】
【００２２】
本発明は、照明器具などによる雑音による電力線通信の品質低下を抑制でき、安定した電力線通信ネットワークを提供できる。
【図面の簡単な説明】
【００２３】
【図１】本発明の第１の実施形態における電力線通信装置用接続装置の構成の一例を示す図
【図２】本発明の第２の実施形態における電力線通信装置用接続装置の構成の一例を示す図
【符号の説明】
【００２４】
１００，２００    電力線通信用接続装置
１１０    スイッチ
１２０，２２０    フィルタ
１０    照明器具
２０，２１，２２    電力線
３０，３１    電力線通信装置
【図１】
2010130139.tif 000003
【図２】
2010130139.tif 000004